(57)【要約】【課題】車とオートバイが夜間やカーブの時グリップから光線が投射され、カーブ時の警告効果等の利点が得られ、製品の経済効益が向上される車とオートバイの発光グリップを提供する。【解決手段】主として、グリップ主体と、発光装置と、導光装置とから構成され、発光装置の回路板の電源がＯＮになるとLED灯が発光して投射し、光束が導光装置の凹槽を介してスローガン文字に投射し、また、屈折作用により文字効果を有する光束を導光装置の外シートから外へ投射する。【選択図】図１
2007112232.tif 000002
【特許請求の範囲】
【請求項１】
主として、グリップ主体と発光装置及び導光装置から構成される車とオートバイの発光グリップであって、
当該グリップ主体は、レバーであり、当該レバーの中段の内側に、ユーザーが掴むための凹み部が、予めに設けられ、また、当該凹み部に、凹槽が、予めに設けられ、当該凹槽の周りに、導光装置と係合するための係合部が予めに形成され、また、当該凹槽の一側に、当該導光装置の突出部を貫設するための貫通穴が予めに設けられ、当該貫通穴が、一対のネジ穴が予めに設けられた収納室と連通し、当該発光装置が当該収納室に収納されてから、ネジを貫設して位置付けさせ、また、当該凹槽のもう一側に、雌ネジを貫設して位置付けさせるための雌ネジ穴が予めに設けられ、また、当該レバーの両端の内側に、当該グリップ主体を車のドアに位置付けさせるための上連接部と下連接部が設置され、
当該発光装置は、凹形状の上固定座を有し、当該上固定座の内縁の一側に、LED灯が貫設されるための貫通穴が設けられ、当該LED灯が貫設されてから、当該LED灯に座金を嵌めることにより、当該LED灯に対する集光作用が得られ、また、当該上固定座の内縁のもう一側に、回路板を位置付けさせるための一対の位置付けレバーが予めに設けられ、また、当該上固定座の一側に、下固定座の下位置付け穴までネジを通すための一対の上位置付け穴が予めに設けられ、
当該導光装置は、透明なシート体があり、当該シート体は、一側に、雌ネジを貫設するための貫通穴が予めに設けられ、もう一側に、LED灯が投光するための凹槽を有する突出部が設けられ、また、外側に、光線を外へ投射するための透明な外シートが固設される、ことを特徴とする車とオートバイの発光グリップ。
【請求項２】
当該導光装置のシート体の内側に、反射シートが設けられ、投光の効果が向上される、ことを特徴とする請求項１に記載の車とオートバイの発光グリップ。
【請求項３】
当該導光装置のシート体に、スローガン文字が彫刻され、投光すると、光束を有する文字が形成される、ことを特徴とする請求項１に記載の車とオートバイの発光グリップ。
【請求項４】
当該グリップ主体は、オートバイのテールの両側に固設され、オートバイが夜間やカーブの時、グリップが光線を発射して、カーブの警告効果が得られる、ことを特徴とする請求項１に記載の車とオートバイの発光グリップ。
【発明の詳細な説明】
【技術分野】
【０００１】
本発明は、車とオートバイの発光グリップに関し、特に、グリップ主体と、発光装置と、導光装置とからなり、車とオートバイが、夜間やカーブの時、グリップから光線が投射され、カーブ時の警告効果等の利点が得られ、また、製品の使用効益が大幅に向上され、産業実用性を有する製品である、車とオートバイの発光グリップに関する。
【背景技術】
【０００２】
社会経済や生活慣習の進歩に伴い、車とオートバイが、家族にとって、不可欠な交通手段になり、しかしながら、車とオートバイの数が急増するため、交通状態が混乱になり、また、車とオートバイの警告ランプが、車とオートバイの前、後の正面にあるヘッドライトやテールライト及び方向指示灯だけであり、そのため、走行する時、車とオートバイの傍から、警告ランプの表示により、車とオートバイの走行動態を知ることが出来ず、そして、光線が不足である夜では、隣の車の走行情況を把握し難いため、走行の危険時期になり、そのため、運転することが非常に危険なことであり、そのため、車とオートバイには、傍に警告ランプを増設することが必要である。
【発明の開示】
【発明が解決しようとする課題】
【０００３】
本発明者は、上記の欠陥を解消するため、製品の設計や製造に関する長年の経験に基づいて、優れた設計理念を持って、上記の不良について研究開発し、絶えずに試作してから、より良い製品構造で製品の効果が向上される、本発明の車とオートバイの発光グリップを提案できた。
【課題を解決するための手段】
【０００４】
本発明に係わる車とオートバイの発光グリップは、図１を参照しながら、主として、グリップ主体(1)と、発光装置(2)と、導光装置(3)とから構成され、
当該グリップ主体(1)は、レバー(11)であり、当該レバー(11)の中段の内側に、ユーザーが掴むための凹み部(12)が、予めに設けられ、また、当該凹み部(12)に、凹槽(13)が予めに設けられ、当該凹槽(13)の周りに、導光装置(3)と係合するための係合部(14)が予めに形成され、また、当該凹槽(13)の一側に、当該導光装置(3)の突出部(34)を貫設するための貫通穴(15)が予めに設けられ、当該貫通穴(15)が、一対のネジ穴(161)が予めに設けられた収納室(16)と連通し、当該発光装置(2)が当該収納室(16)に収納されてから、ネジ(162)を貫設して位置付けさせ、また、当該凹槽(13)のもう一側に、雌ネジ(171)を貫設して位置付けさせるための雌ネジ穴(17)が予めに設けられ、また、当該レバー(11)の両端の内側に、当該グリップ主体(1)を車のドアに位置付けるための上連接部(18)と下連接部(19)が設置され、
当該発光装置(2)は、凹形状の上固定座(21)を有し、当該上固定座(21)の内縁の一側に、LED灯(23)が貫設されるための貫通穴(22)が設けられ、当該LED灯(23)が貫設されてから、当該LED灯(23)に座金(231)を嵌めることにより、当該LED灯(23)に対する集光作用が得られ、また、当該上固定座(21)の内縁のもう一側に、回路板(25)の回路穴(251)に挿し込んで位置付けさせるための一対の位置付けレバー(24)が予めに設けられ、また、当該上固定座(21)の一側に、下固定座(27)の下位置付け穴(28)までネジ(162)を通すための一対の上位置付け穴(26)が予めに設けられ、
当該導光装置(3)は、スローガン文字(32)が彫刻された透明なシート体(31)があり、当該シート体(31)に投光すると、光束である文字が形成され、また、当該シート体(31)の一側に、雌ネジ(171)が貫設されるための貫通穴(3)が予めに設けられ、また、当該シート体(31)のもう一側に、当該LED灯(23)が投光するための、凹槽(33)を有する突出部(34)が予めに設けられ、また、当該シート体(31)の外側に、光線を外へ投射するための透明な外シート(35)が固設される。
【発明を実施するための最良の形態】
【０００５】
図１を参照しながら、車とオートバイの発光グリップを組み立てる時、まず、LED灯(23)を上固定座(21)の貫通穴(22)に貫設して、回路板(25)の回路穴(251)を位置付けレバー(24)に位置付けさせ、そして、座金(231)をLED灯(23)に嵌め、また、下固定座(27)を上固定座(21)に冠で、これにより、発光装置(2)が完成され、また、ネジ(162)を上位置付け穴(26)と下位置付け穴(28)及びネジ穴(161)に貫設して、発光装置(2)をグリップ主体(1)の収納室(16)に位置付けさせ、また、LED灯(23)を貫通穴(15)に貫設し、そして、導光装置(3)を凹槽(13)に入れ込んで、この時、導光装置(3)の突出部(34)がグリップ主体(1)の貫通穴(15)を貫通し、突出部(34)の凹槽(33)が、丁度LED灯(23)の発光ヘッドの周りに位置し、また、導光装置(3)の外シート(35)が凹槽(13)に位置し、導光装置(3)のシート体(31)が丁度凹槽(13)の周りにある係合部(14)に係合され、また、雌ネジ(171)が、導光装置(3)の貫通穴(32)に貫設され、そして、雌ネジ穴(17)に螺着され、これにより、導光装置(3)が凹槽(13)に位置付けられる。
【０００６】
図２のように、車とオートバイの発光グリップ構造が完成され、また、導光装置(3)の内側に、更に、LED灯(23)が導光装置(3)に投射する効果が向上されるため、反射シート(36)を増設し、最後、グリップ主体(1)の両端にある上連接部(18)と下連接部(19)により、車の発光グリップを車のドアに固設し、或いは、図５のように、上連接部(18)と下連接部(19)により、グリップ主体(1)をオートバイのテールの両側に固設し、これにより、オートバイが夜間やカーブの時、グリップが光線を発射して、カーブの警告効果が得られる。
【０００７】
図３と４を参照しながら、回路板(25)の電源がＯＮになると、LED灯(23)が発光して投射し、光束が突出部(34)の凹槽(33)を介して導光装置(3)のスローガン文字(32)に投射し、また、図４を参照しながら、屈折作用により、文字効果を有する光束を、導光装置(3)の外シート(35)から外へ投射し、これにより、車とオートバイが、夜間やカーブの時、グリップから光線が投射され、カーブ時の警告効果等の利点が得られ、車とオートバイの側面に位置する他人が、容易に移動中の車を注意し、これにより、居所の環境の交通情況を確実に把握でき、万一の場合、事故の前、反応を取ることが出来るため、有効的に事故の発生を防止できる。
【０００８】
本発明に係わる車とオートバイの発光グリップの構造改良は、新鋭性や実用性を持つ製品であり、また、今まで、公的に披露されることなく、そして、刊行物に披露されることがないため、発明特許の要件を満たすから、法に従って出願する。
【０００９】
以上は、本発明のより良い実施例であり、本発明は、それによって制限されることなく、本発明の特許請求の範囲に従って、等価の変更や修正は、全てが、本発明の特許請求の範囲に含まれる。
【図面の簡単な説明】
【００１０】
【図１】本発明の部品分解の立体外観図
【図２】本発明の立体外観図
【図３】本発明を実施する時の断面概念図
【図４】本発明のAの局部の拡大概念図
【図５】本発明をオートバイのテールの両側に実施する時の概念図
【符号の説明】
【００１１】
1      グリップ主体
11     レバー
12     凹み部
13     凹槽
14     係合部
15     貫通穴
16     収納室
161    ネジ穴
162    ネジ
17     雌ネジ穴
171    雌ネジ
18     上連接部
19     下連接部
2      発光装置
21     上固定座
22     貫通穴
23     LED灯
231    座金
24     位置付けレバー
25     回路板
251    回路穴
26     上位置付け穴
27     下固定座
28     下位置付け穴
3      導光装置
31     シート体
32     スローガン文字
33     凹槽
34     突出部
35     外シート
36     反射シート
【図１】
2007112232.tif 000003
【図２】
2007112232.tif 000004
【図３】
2007112232.tif 000005
【図４】
2007112232.tif 000006
【図５】
2007112232.tif 000007